(57)【特許請求の範囲】
【請求項１】
樽上面の中央部に、注出装置接続部と、前記注出装置接続部から樽内に連通するガス注入路および飲料注出路と、ばね力により上方に押圧されて前記ガス注入路と飲料注出路を閉鎖し、上方から押し込まれて前記ガス注入路と飲料注出路を開放する弁部材とを有する口栓が設けられた飲料樽内の飲料を、前記飲料樽内に前記口栓から加圧ガスを供給して注出する装置において、
前記飲料樽の口栓に装着される着脱可能なアダプタと、前記アダプタに押し付けられる注出ヘッドと、前記注出ヘッドを昇降させる注出ヘッド昇降手段と、前記注出ヘッドにガスホースを介して接続されたガス供給バルブと、前記ガス供給バルブに交換可能に接続されたガスボンベと、前記注出ヘッドに飲料ホースを介して接続された注出コックとを備え、
前記アダプタは、上下端が開口し、下端部に前記口栓の注出装置接続部に係合する口栓係合部が形成され、上端に注出ヘッド当接面が形成された中空のボディと、前記口栓の弁部材に当接する弁部材当接部を有し、前記ボディ内に上下方向に移動可能に設けられた可動部材とからなるとともに、内部に、一端が前記ボディ内の上端部に連通し、他端が前記口栓への前記ボディの係合により前記口栓のガス注入路に連通されるガス流路と、一端が前記可動部材の上端に開口し、他端が前記口栓への前記ボディの係合により前記口栓の飲料注出路に連通される飲料流路とを有しており、
前記注出ヘッドは、前記注出ヘッド昇降手段により昇降され、前記アダプタの可動部材の上端に気密状態に当接して前記可動部材を押し下げる垂直なロッド部材と、下端に前記アダプタの注出ヘッド当接面に気密状態に押し付けられるアダプタ当接面が形成され、前記ロッド部材の外側に上下方向に移動可能に嵌装された外筒部材と、前記外筒部材を下方に押圧する押し下げばねと、前記外筒部材の側部に設けられたガス導入口と、前記ロッド部材の上端に設けられた飲料送出口とからなるとともに、内部に、一端が前記ガス導入口に連通し、他端が前記アダプタの注出ヘッド当接面への前記アダプタ当接面の押し付けにより前記アダプタのボディ内を介して前記アダプタのガス流路に連通されるガス供給路と、一端が前記飲料送出口に連通し、他端が前記アダプタの可動部材への前記ロッド部材の当接により前記アダプタの飲料流路に連通される飲料送出路とを有しており、
前記注出ヘッドのガス導入口に前記ガスホースが接続され、前記注出ヘッドの飲料送出口に前記飲料ホースが接続されていることを特徴とする飲料注出装置。
【請求項２】
注出ヘッドと注出ヘッド昇降手段は、周面のいずれか１つの面に扉を有する飲料樽収容ボックス内の上部に設けられており、前記ボックス内に、口栓にアダプタを装着された飲料樽を、前記アダプタを前記注出ヘッドの下に位置させて支持する樽置き台が設けられるとともに、前記ボックス内もしくはボックス外にガス供給バルブが設けられ、前記ボックスの外部に飲料注出コックが設けられていることを特徴とする請求項１に記載の飲料注出装置。
【請求項３】
飲料樽収容ボックスは、その底部にキャスターを備えていることを特徴とする請求項２に記載の飲料注出装置。
【請求項４】
注出ヘッド昇降手段は、ガス圧によりピストンロッドを一方向に移動させ、ばね力により前記ピストンロッドを復帰移動させるガス圧シリンダからなっており、このシリンダに、前記注出ヘッドのガス導入口とガス供給バルブとを接続するガスホースから分岐されたガスホースが接続されるとともに、前記ガスホースの途中に、飲料樽収容ボックスの扉の開閉に応じて動作し、前記扉が開かれたときに前記シリンダへのガス供給を遮断する自動開閉バルブが設けられていることを特徴とする請求項２または３に記載の飲料注出装置。
【請求項５】
注出ヘッド昇降手段は、回転軸に固定されて偏心回転するカム部材と、前記カム部材により一方向に移動され、ばね力により復帰移動されるカム受けとからなっており、前記回転軸の端部が樽収容ボックスの外側に突出され、その端部に、前記回転軸を回転させるためのハンドルが設けられていることを特徴とする請求項２または３に記載の飲料注出装置。
【発明の詳細な説明】
【０００１】
【発明の属する技術分野】
この発明は、飲料樽内の飲料を、前記飲料樽内に加圧ガスを供給して注出する飲料注出装置に関するものである。
【０００２】
【従来の技術】
例えばビール樽等の飲料樽は、樽上面の中央部に、注出装置接続部と、前記注出装置接続部から樽内に連通するガス注入路および飲料注出路と、ばね力により上方に押圧されて前記ガス注入路と飲料注出路を閉鎖し、上方から押し込まれて前記ガス注入路と飲料注出路を開放する弁部材とを有する口栓が設けられた構造となっており、この飲料樽内の飲料の注出は、前記飲料樽内に前記口栓から加圧ガスを供給し、そのガス圧により樽内の飲料を注出する飲料注出装置により行なわれている。
【０００３】
前記飲料注出装置は、従来、前記飲料樽の口栓に接続される注出ヘッドと、前記注出ヘッドにガスホースを介して接続されたガス供給バルブと、前記ガス供給バルブに交換可能に接続されたガスボンベと、前記注出ヘッドに飲料ホースを介して接続された注出コックとからなっている。
【０００４】
前記注出ヘッドは、下端部に前記飲料樽の口栓の注出装置接続部に係合する口栓係合部が設けられるとともに、下端から突出されて前記飲料樽の口栓の弁部材を押し込むロッド部材と、前記ロッド部材を出没させる手段とを備え、内部に、一端がガス導入口に連通し、他端が前記口栓への前記口栓係合部の係合により前記口栓のガス注入路に連通されるガス供給路と、一端が飲料送出口に連通し、他端が前記口栓への前記口栓係合部の係合により前記口栓の飲料注出路に連通される飲料送出路が形成された構成のものであり、前記ガス導入口に、前記ガス供給バルブに接続されたガスホースが接続され、前記飲料送出口に、前記飲料注出コックに接続された飲料ホースが接続されている。
【０００５】
上記飲料注出装置は、前記注出ヘッドを飲料樽の口栓に接続して前記飲料樽内の飲料を注出するものであり、前記注出ヘッドは、その下端部の口栓係合部を飲料樽の口栓の注出装置接続部に係合させることにより前記飲料樽の口栓に接続されている。
【０００６】
なお、前記飲料樽の口栓と前記注出ヘッドの係合構造はバヨネット係合構造とされており、前記注出ヘッドは、その下端部を飲料樽の口栓の注出装置接続部に嵌込んで周方向に所定角度回転させることにより前記飲料樽の口栓に接続されている。
【０００７】
そして、飲料樽内の飲料の注出は、前記飲料樽の口栓に前記注出ヘッドを接続した後、まず前記ガス供給バルブを開いて、このガス供給バルブに接続されたガスボンベ内の加圧ガスをガスホースを介して前記注出ヘッドに供給し、その後に、前記注出ヘッド内のロッド部材を突出させ、このロッド部材により前記口栓の弁部材を押し込んで前記口栓のガス注入路と飲料注出路を開放させることにより行なわれている。
【０００８】
このように、前記飲料樽の口栓のガス注入路と飲料注出路を開放させると、前記加圧ガスが前記注出ヘッドを介して飲料樽内にその口栓から供給され、そのガス圧により樽内の飲料が前記口栓から前記注出ヘッドと飲料ホースを介して飲料注出コックに送出される。
【０００９】
また、前記飲料樽が空になったときの飲料樽の交換は、前記ガス供給バルブを閉じて前記注出ヘッドへのガス供給を停止し、その後に、前記注出ヘッド内のロッド部材を後退させることにより、前記飲料樽の口栓の弁部材をばね力により上方に復帰させて前記口栓のガス注入路と飲料注出路を閉鎖させ、その状態で前記飲料樽の口栓から前記注出ヘッドを取外して飲料樽を交換して、交換された飲料樽の口栓に前記注出ヘッドを接続することにより行なわれている。
【００１０】
【発明が解決しようとする課題】
しかし、上記従来の飲料注出装置は、ガスホースと飲料ホースが接続された注出ヘッドを、そのボディの下端部の口栓係合部を飲料樽の口栓の注出装置接続部に係合させて前記飲料樽の口栓に接続するものであるため、前記ガスホースおよび飲料ホースが邪魔になって前記注出ヘッドを自由に取扱うことができず、したがって、飲料樽の口栓への注出ヘッドの接続や、前記口栓からの注出ヘッドの取外しが面倒で、飲料樽の交換を作業性良く行なうことができなかった。
【００１１】
この発明は、樽上面の中央部に、注出装置接続部と、前記注出装置接続部から樽内に連通するガス注入路および飲料注出路と、ばね力により上方に押圧されて前記ガス注入路と飲料注出路を閉鎖し、上方から押し込まれて前記ガス注入路と飲料注出路を開放する弁部材とを有する口栓が設けられた飲料樽内の飲料を、前記飲料樽内に前記口栓から加圧ガスを供給して注出する飲料注出装置として、飲料樽の交換を作業性良く行なうことができるものを提供することを目的としたものである。
【００１２】
【課題を解決するための手段】
この発明の飲料注出装置は、前記飲料樽の口栓に装着される着脱可能なアダプタと、前記アダプタに押し付けられる注出ヘッドと、前記注出ヘッドを昇降させる注出ヘッド昇降手段と、前記注出ヘッドにガスホースを介して接続されたガス供給バルブと、前記ガス供給バルブに交換可能に接続されたガスボンベと、前記注出ヘッドに飲料ホースを介して接続された注出コックとを備え、前記アダプタは、上下端が開口し、下端部に前記口栓の注出装置接続部に係合する口栓係合部が形成され、上端に注出ヘッド当接面が形成された中空のボディと、前記口栓の弁部材に当接する弁部材当接部を有し、前記ボディ内に上下方向に移動可能に設けられた可動部材とからなるとともに、内部に、一端が前記ボディ内の上端部に連通し、他端が前記口栓への前記ボディの係合により前記口栓のガス注入路に連通されるガス流路と、一端が前記可動部材の上端に開口し、他端が前記口栓への前記ボディの係合により前記口栓の飲料注出路に連通される飲料流路とを有しており、前記注出ヘッドは、前記注出ヘッド昇降手段により昇降され、前記アダプタの可動部材の上端に気密状態に当接して前記可動部材を押し下げる垂直なロッド部材と、下端に前記アダプタの注出ヘッド当接面に気密状態に押し付けられるアダプタ当接面が形成され、前記ロッド部材の外側に上下方向に移動可能に嵌装された外筒部材と、前記外筒部材を下方に押圧する押し下げばねと、前記外筒部材の側部に設けられたガス導入口と、飲料送出口を有し、前記ロッド部材の上端に設けられた飲料送出口とからなるとともに、内部に、一端が前記ガス導入口に連通し、他端が前記アダプタの注出ヘッド当接面への前記アダプタ当接面の押し付けにより前記アダプタのボディ内を介して前記アダプタのガス流路に連通されるガス供給路と、一端が前記飲料送出口に連通し、他端が前記アダプタの可動部材への前記ロッド部材の当接により前記アダプタの飲料流路に連通される飲料送出路とを有しており、前記注出ヘッドのガス導入口に前記ガスホースが接続され、前記注出ヘッドの飲料送出口に前記飲料ホースが接続されていることを特徴とするものである。
【００１３】
すなわち、この注出装置は、飲料樽の口栓に、前記アダプタを、そのボディの下端部の口栓係合部を前記口栓の注出装置接続部に係合させて装着し、このアダプタに、ガスホースと飲料ホースが接続された前記注出ヘッドを押し付けることにより、前記注出ヘッドを前記アダプタを介して前記飲料樽の口栓に接続するようにしたものであり、前記飲料樽の口栓に前記アダプタを装着し、このアダプタに前記注出ヘッドを押し付けると、前記注出ヘッドのガス供給路が、前記アダプタのガス流路を介して前記飲料樽の口栓のガス注入路に連通されるとともに、前記注出ヘッドの飲料送出路が、前記アダプタの飲料流路を介して前記口栓の飲料注出路に連通される。
【００１４】
そして、この状態で前記注出ヘッドのロッド部材を下降させると、このロッド部材により前記アダプタの可動部材が押し下げられ、さらに前記可動部材により前記飲料樽の口栓の弁部材が押し込まれて前記口栓のガス注入路と飲料注出路が開放されるため、前記ガス供給バルブからガスホースを介して供給される加圧ガスを前記注出ヘッドとアダプタとを介して飲料樽内にその口栓から供給し、そのガス圧により、樽内の飲料を前記口栓から前記アダプタと注出ヘッドと飲料ホースとを介して前記飲料注出コックに送出することができる。
【００１５】
このように、この発明の飲料注出装置は、飲料樽の口栓に前記アダプタを装着し、このアダプタにガスホースと飲料ホースが接続された前記注出ヘッドを押し付けて前記飲料樽内の飲料の注出を行なうものである。
【００１６】
この注出装置によれば、飲料樽の口栓に装着される前記アダプタが、ガスホースと飲料ホースが接続された前記注出ヘッドとは別の部材であるため、前記飲料樽の口栓への前記アダプタの装着および取外しを簡単に行なうことができ、また、口栓に前記アダプタを装着した飲料樽を、前記アダプタを前記注出ヘッドの下に位置させて置き、その状態で注出ヘッド昇降手段により前記注出ヘッドを下降させるだけで、前記注出ヘッドを前記アダプタに押し付けることができるとともに、前記注出ヘッド昇降手段により前記注出ヘッドを上昇させるだけで、前記注出ヘッドを前記アダプタから離すことができ、したがって、飲料樽の交換を作業性良く行なうことができる。
【００１７】
【発明の実施の形態】
この発明の飲料注出装置は、前記注出ヘッドと注出ヘッド昇降手段を、周面のいずれか１つの面に扉を有する飲料樽収容ボックス内の上部に設け、前記ボックス内に、口栓に前記アダプタを装着された飲料樽を、前記アダプタを前記注出ヘッドの下に位置させて支持する樽置き台を設けるとともに、前記ボックス内もしくはボックス外にガス供給バルブを設け、前記ボックスの外部に飲料注出コックを設けた構成のものが好ましく、その場合、前記飲料樽収容ボックスは、その底部にキャスターを備えているのが望ましい。
【００１８】
また、前記注出ヘッド昇降手段は、例えば、ガス圧によりピストンロッドを一方向に移動させ、ばね力により前記ピストンロッドを復帰移動させるガス圧シリンダが好ましく、その場合は、前記シリンダに、前記注出ヘッドのガス導入口とガス供給バルブとを接続するガスホースから分岐されたガスホースを接続するとともに、前記ガスホースの途中に、飲料樽収容ボックスの扉の開閉に応じて動作し、前記扉が開かれたときに前記シリンダへのガス供給を遮断する自動開閉バルブを設けるのが望ましい。
【００１９】
さらに、前記注出ヘッド昇降手段は、回転軸に固定されて偏心回転するカム部材と、前記カム部材により一方向に移動され、ばね力により復帰移動されるカム受けとからなるものでもよく、その場合は、前記回転軸の端部を樽収容ボックスの外側に突出させ、その端部に、前記回転軸を回転させるためのハンドルを設ければよい。
【００２０】
【実施例】
以下、この発明を樽詰めビールの注出装置に適用した実施例を説明する。図１〜図１２はこの発明の第１の実施例を示しており、図１はビール注出装置の外観図、図２は前記ビール注出装置のビール樽収容ボックス内に設けられた注出ヘッドおよび注出ヘッド昇降手段の斜視図、図３は前記注出ヘッドおよび注出ヘッド昇降手段の断面図、図４および図５はビール樽の口栓に装着されるアダプタの側面図および底面図、図６は前記アダプタの断面図、図７はビール樽の外観図、図８および図９は前記ビール樽の口栓の平面図および断面図である。
【００２１】
まず、図７〜図９に示したビール樽について説明すると、このビール樽１は、ステンレス鋼製の５リットル樽であり、上面の中心部に口栓６を有する密閉構造の樽本体２と、前記樽本体２の下部に設けられた円筒状の足部３と、前記樽本体２の上部に設けられた運搬用の手掛け部（開口）５を有する円筒状の口栓ガード部４とからなっている。なお、このビール樽１はビール製造会社により規定された規格品であり、その口栓６は、従来の注出装置の注出ヘッドも接続できる構造となっている。
【００２２】
前記ビール樽１の口栓６は、図８および図９に示したように、前記樽本体２の上面の中心部に設けられた筒状開口部２ａ内に気密状態にねじ込み装着された筒状部材７と、この筒状部材７からビール樽１内に垂下されたビール注出用ダウンチューブ８とからなっており、前記筒状部材７の上端部の内部に、周面に一対の凸部１０が突設された注出装置接続部９が形成されている。
【００２３】
前記ダウンチューブ８は、その上端部を前記筒状部材７内に挿入されて樽底近くに垂下されており、前記筒状部材７内のダウンチューブ８の外側の空間は、前記注出装置接続部９からビール樽１内に連通するガス注入路１１とされ、前記ダウンチューブ８内は、前記注出装置接続部９からビール樽１内に連通するビール注出路１２とされている。
【００２４】
また、前記筒状部材７の注出装置接続部９とガス注入路１１の上端との間の部分の内周面には、前記ガス注入路１１の上方に突出する環状のガス注入路用弁座１３が突設されており、前記ダウンチューブ８の上端には、前記弁座１３にその下方から接離する環状の第１の弁部材１４が固定されている。
【００２５】
そして、前記ダウンチューブ８は、その上端部の外側に遊嵌され、前記筒状部材７の下端部に設けられたばね受け１５とダウンチューブ８の上端部との間に圧縮状態で挟持されたコイルばね１６により上方に押圧されており、前記ダウンチューブ８の上端に固定された前記第１の弁部材１４は、前記コイルばね１６のばね力により前記ガス注入路用弁座１３に当接されて前記ガス注入路１１を閉鎖し、上方からの押し力により下方に押し込まれ、前記ガス注入路用弁座１３から離されて前記ガス注入路１１を開放する。
【００２６】
さらに、前記ダウンチューブ８内の上端部には、前記第１の弁部材１４のダウンチューブ８内に突出する内周部に対して下方から接離する第２の弁部材１７が上下方向に移動可能に設けられている。なお、この第２の弁部材１７は、上面が閉塞した中空部材であり、その外周面と前記ダウンチューブ８の上端部の内周面との間にビール流通間隙を確保してダウンチューブ８内に設けられている。
【００２７】
また、前記ダウンチューブ８内の上端部には、このダウンチューブ８に形成されたばね受け段部１８と前記第２の弁部材１７との間に圧縮状態で挟持されて前記第２の弁部材１７を上方に押圧するコイルばね１９が設けられており、前記第２の弁部材１７は、前記コイルばね１９のばね力により前記第１の弁部材１４の内周部に当接されて前記ビール注出路１２を閉鎖し、上方からの押し力により下方に押し込まれ、前記第１の弁部材１４から離されて前記ビール注出路１２を開放する。
【００２８】
この実施例のビール注出装置は、前記ビール樽１内のビールを、前記ビール樽１内に加圧ガスを供給して注出するものであり、図１〜図６に示したように、前記ビール樽１の口栓６に装着される着脱可能なアダプタ２０と、前記アダプタ２０に押し付けられる注出ヘッド４０と、前記注出ヘッド４０を昇降させる注出ヘッド昇降手段５３と、前記注出ヘッド４０にガスホース６５を介して接続されたガス供給バルブ６９と、前記ガス供給バルブ６９に交換可能に接続された炭酸ガスボンベ７０と、前記注出ヘッド４０にビールホース７１を介して接続された注出コック７３とを備えている。
【００２９】
まず、前記ビール樽１の口栓６に装着されるアダプタ２０について説明すると、このアダプタ２０は、図４〜図６に示すように、上下端が開口し、下端部に前記口栓６の注出装置接続部９に係合する口栓係合部２２が形成され、上端に平坦面からなる注出ヘッド当接面２４が形成された中空のボディ２１と、前記口栓６の第１の弁部材１４と第２の弁部材１７にそれぞれ当接する第１および第２の弁部材当接部２７，２８を有し、前記ボディ２１内に上下方向に移動可能に設けられたロッド状の可動部材２５とからなっており、内部に、前記ボディ２１の内面と前記可動部材２５の外面との間に形成され、一端が前記ボディ２１内の上端部に連通し、他端が前記口栓６への前記ボディ２１の係合により前記口栓６のガス注入路１１に連通されるガス流路２９と、前記可動部材２５内に設けられ、一端が前記可動部材２５の上端に開口し、他端が前記口栓６への前記ボディ２１の係合により前記口栓６のビール注出路１２に連通されるビール流路３０とを有している。
【００３０】
前記ボディ２１の下端部の口栓係合部２２は、前記口栓６の注出装置接続部９内に回転可能に嵌入する形状に形成されており、その外周面に、前記注出装置接続部９の周面の一対の凸部１０の間を通して前記装置接続部９内に挿入され、その後に前記ボディ２１を周方向にほぼ９０度回転させることにより前記一対の凸部１０の下面に係合される一対のバヨネット係合凸部２３が突設されている。
【００３１】
前記バヨネット係合凸部２３は、その上面の中間部から一端側の部分を、端部に向かって低くなるテーパー面とし、他端側の部分を平坦面とした形状に形成されており、前記ボディ２１の周方向の回転により、前記テーパー面の斜面誘導作用によって前記注出装置接続部９の凸部１０の下面に押し付け係合される。
【００３２】
なお、前記バヨネット係合凸部２３の平坦面の終端には、前記注出装置接続部９の凸部１０の側面に当接し、前記ボディ２１の回し過ぎを阻止するためのストッパ２３ａが突設されている。
【００３３】
また、前記可動部材２５の下端から所定の高さをとった部分の外周には、前記口栓６の第１の弁部材１４の内側に入り込んで前記第１の弁部材１４の内周に設けられた段部に当接するパッキンリング２６が嵌合されており、このパッキンリング２６の下面が、前記第１の弁部材当接部２７とされている。
【００３４】
さらに、前記可動部材２５の前記パッキンリング２６よりも下の部分は、前記口栓６の第１の弁部材１４の内側に入り込む太さに形成されており、その下端が、前記第２の弁部材当接部２８とされるとともに、この可動部材２５の下端部の周面に、前記ビール流路３０を前記口栓６のビール注出路１２に連通させるためのビール流通口３０ａが設けられている。
【００３５】
また、前記ボディ２１の上端には、外周に突出するフランジ部２１ａが形成されており、このフランジ部２１ａの上面が前記注出ヘッド当接面２４とされている。
【００３６】
そして、前記ボディ２１の前記注出ヘッド当接面２４には、前記ガス流路２９を囲んで、後述する注出ヘッド４０のアダプタ当接面４３を気密状態に当接させるためのパッキンリング３１が設けられており、また、前記ボディ２１の口栓係合部２２の下端部には、前記口栓６の注出装置接続部９に気密状態に当接するパッキンリング３２が設けられている。
【００３７】
さらに、前記可動部材２５の上端には、前記ビール流路３０を囲んで、注出ヘッド４０のロッド部材４１の下端を気密状態に当接させるためのパッキンリング３３が設けられている。
【００３８】
なお、前記ボディ２１の側部には、ボディ２１内に突出するストッパビス３４が設けられており、前記可動部材２５の前記ボディ２１に対する上下方向への移動ストロークは、前記ストッパビス３４により規制されている。
【００３９】
次に、前記アダプタ２０に押し付けられる注出ヘッド４０と、前記注出ヘッド４０を昇降させる注出ヘッド昇降手段５３について説明すると、前記注出ヘッド４０は、図３に示すように、注出ヘッド昇降手段５３により昇降され、前記アダプタ２０の可動部材２５の上端に気密状態に当接して前記可動部材２５を押し下げる垂直なロッド部材４１と、下端に前記アダプタ２０の注出ヘッド当接面２４に気密状態に押し付けられるアダプタ当接面４３が形成され、前記ロッド部材の外側に上下方向に移動可能に嵌装された外筒部材４２と、前記外筒部材４２を下方に押圧する押し下げばね４４と、前記外筒部材４１の側部に設けられたガス導入口４５と、前記ロッド部材４１の上端に設けられたビール送出口４６とからなるとともに、内部に、前記ロッド部材４１の外面と前記外筒部材４２の内面との間に形成され、一端が前記ガス導入口４５に連通し、他端が前記アダプタ２０の注出ヘッド当接面２４への前記アダプタ当接面４３の押し付けにより前記アダプタ２０のボディ２１内を介して前記アダプタ２０のガス流路２９に連通されるガス供給路４７と、前記ロッド部材４１内に設けられ、一端が前記ビール送出口４６に連通し、他端が前記アダプタ２０の可動部材２５への前記ロッド部材４１の当接により前記アダプタ２０のビール流路３０に連通されるビール送出路４８とを有している。
【００４０】
前記注出ヘッド４０は、上部プレート６１と中間プレート６２と下部プレート６３とを所定の間隔で配置し、これらのプレート６１，６２，６３を４本のポール材６４により互いに連結固定した注出ヘッドガード枠６０内に、前記可動部材２５を前記中間プレート６２と下部プレート６３との間に位置させるとともに、前記ロッド部材４１の上端側を前記中間プレート６２の中心部に設けられたロッド部材挿通孔６２ａから中間プレート６２上に突出させて配置されている。
【００４１】
なお、前記注出ヘッドガード枠６０の下部プレート６３には、前記注出ヘッド４０の下に置かれるビール樽１の口栓６に装着されたアダプタ２０に対して逃げとなる切欠部６３ａが前記下部プレート６３の前縁に開放させて設けられており、この切欠部６３ａは前記アダプタ２０の上端のフランジ部２１ａの外径よりも充分に大きい幅に形成されている。
【００４２】
前記外筒部材４２を下方に押圧する押し下げばね４４は、コイルばねからなっており、この押し下げばね４４は、前記可動部材２５の外側に遊嵌され、前記可動部材２５の下端部の外周に形成された突出部と前記中間プレート６２との間に圧縮状態で挟持されている。
【００４３】
また、前記ロッド部材４１は、その中間部から上端側の外径を小さくし、その小径部の基部に段部を形成した形状に形成されており、前記外筒部材４２の内周面には、前記ロッド部材４１の前記段部を上方から受止めて前記ロッド部材４１の上昇限を規制するストッパ４９が形成されている。
【００４４】
さらに、前記ロッド部材４１の上端部の外周には、このロッド部材４１が所定ストローク下降したときに前記外筒部材４２の上端に当接してこの外筒部材４２を下方に押圧する外筒押圧部材４１ａが嵌合固定されている。
【００４５】
また、前記ガス供給路４７は、前記ロッド部材４１の外周面を凹入させることにより形成されており、この凹入部の上下のロッド部材４１と外筒部材４２との隙間は、一対のパッキンリング５０によりシールされている。
【００４６】
一方、前記ビール送出路４８は、前記ロッド部材４１の上端に開口しており、このロッド部材４１の上端に、逆止弁５１を介してビールホース接続部材５２が接続されている。
【００４７】
そして、前記注出ヘッド４０のガス導入口４５にはガスホース６５が接続され、前記注出ヘッド４０のビール送出口４６には、前記ビールホース接続部材５２と逆止弁５１とを介してビールホース７１が接続されている。
【００４８】
一方、前記注出ヘッド４０を昇降させる注出ヘッド昇降手段５３は、内部に、ガス圧により一方向に移動されるピストン５５と、前記ピストン５５を復帰移動させるための復帰ばね（コイルばね）５６とを備え、前記ピストン５５に連結されたピストンロッド５７をガス圧により一方向に移動させ、前記復帰ばね５６のばね力により前記ピストンロッド５７を復帰移動させるガス圧シリンダ５４からなっている。
【００４９】
このシリンダ５４は、前記ピストンロッド５７の突出端を下に向けて前記注出ヘッドガード枠６０の上部プレート６１上に固定されており、前記ピストンロッド５７は、前記上部プレート６１の中心部に設けられたピストンロッド挿通孔６１ａから前記上部プレート６１の下に突出している。
【００５０】
前記ピストンロッド５７の先端には、このピストンロッド５７により昇降される昇降部材５８が固定されており、この昇降部材５８に、前記注出ヘッド４０のロッド部材４１の上端に接続された逆止弁５１が連結ロッド５９を介して連結されている。
【００５１】
そして、この実施例では、前記シリンダ５４に、前記注出ヘッド４０のガス導入口４５とガス供給バルブ６９とを接続するガスホース６５から図２に示すように分岐されたガスホース（以下、分岐ガスホースという）６５ａを接続し、前記シリンダ５４を、前記注出ヘッド４０に供給するビール注出用の加圧ガス（炭酸ガス）と同じガスを利用して動作させるようにしている。
【００５２】
さらに、この実施例では、前記ガスホース６５の前記分岐ガスホース６５ａと注出ヘッド４０との間の部分に、前記注出ヘッド４０に供給された加圧ガスの逆流を防ぐための逆止弁６７を設けている。
【００５３】
また、この実施例では、前記注出ヘッド４０と前記注出ヘッドを昇降させるためのガス圧シリンダ５４を、図１および図２に示したビール樽収容ボックス７４内の上部に設けるとともに、このビール樽収容ボックス７４内に、前記注出ヘッド４０にガスホース６５を介して接続されたガス供給バルブ６９と、前記ガス供給バルブ６９に交換可能に接続された炭酸ガスボンベ７０とを配置し、さらに前記ビール樽収容ボックス７４の上に前記注出ヘッド４０にビールホース７１を介して接続されたビール注出コック７３とを配置している。
【００５４】
前記ビール樽収容ボックス７４は、底部の４箇所にキャスター７５を備えた移動可能な冷蔵ボックスであり、その周面のいずれか１つの面、例えば前面に開閉可能な扉７６が設けられ、ボックス内に、上下２段に樽置き台７７，７８が設けられるとともに、下段の樽置き台７７の下のスペースに、ボックス内を冷却するための冷却装置（図示せず）が設けられている。以下、前記ビール樽収容ボックス７４を冷蔵ボックスという。
【００５５】
前記冷蔵ボックス２１内の上下２段の樽置き台７７，７８のうち、上段の樽置き台７７は、図４〜図６に示したアダプタ２０を口栓６に装着されたビール樽１の置き台、下段の樽置き台７８は、予備のビール樽１の置き台であり、前記上段の樽置き台７７の上面には、前記アダプタ２０を装着されたビール樽１を、前記アダプタ２０を冷蔵ボックス７４内の上部に設けられた注出ヘッド４０の下に位置させて支持するための樽位置決め用ガイド７９が設けられ、また、上下の樽置き台７７，７８の上面にはそれぞれ、樽置き台７７，７８上に置かれたビール樽１の押し込みおよび引出しを容易にするための複数本の樽支持レール８０が設けられている。
【００５６】
また、前記冷蔵ボックス７４の扉７６の内面には、前記上段の樽置き台７７の上に前記樽位置決め用ガイド７９により位置決めされて支持されたビール樽１を固定するための樽押え８１が設けられている。
【００５７】
さらに、前記冷蔵ボックス７４内の上部には機器室８２が形成されており、前記注出ヘッド４０とガス圧シリンダ５４および注出ヘッドガード枠６０は、前記機器室８２内に前記ガス圧シリンダ５４を収容させ、前記注出ヘッド４０を前記機器室８２の下に突出させた状態で配置されている。
【００５８】
なお、前記機器室８２の底板８３の中央部には、前記注出ヘッドガード枠６０の中間プレート６２の幅よりも若干小さい幅を有し、前記底板８３の前縁に開放する切欠部８３ａが設けられており、前記注出ヘッド４０とガス圧シリンダ５４および注出ヘッドガード枠６０は、前記機器室８２の前側から挿入され、前記注出ヘッドガード枠６０の両側縁部を前記底板８３の切欠部８３ａの両側縁部の上に重ねて前記底板８３にビス止めすることにより設置されている。
【００５９】
また、前記ガス供給バルブ６９は、前記機器室８２内に、冷蔵ボックス７４の天井部に気密状態に固定して設置されており、前記炭酸ガスボンベ７０は、前記ガス供給バルブ６９に交換可能に接続され、前記機器室８２内に収容されている。
【００６０】
なお、前記ガス供給バルブ６９は、その上部に、手動により回されるバルブ開閉摘み６９ａを備えており、このバルブ開閉摘み６９ａは、前記冷蔵ボックス７４の上面に露出している。
【００６１】
前記ガス供給バルブ６９は、ガス抜き機構を備えており、前記バルブ開閉摘み６９ａの開操作により、前記ガスボンベ７０の口栓を開いてボンベ内の加圧ガスをガスホース６５に供給し、前記バルブ開閉摘み６９ａの閉操作により、前記ガスボンベ７０の口栓を閉じるとともに、前記ガスホース６５内の加圧ガスを外部に放出する。
【００６２】
さらに、前記ガスホース６５の途中、例えば前記分岐ガスホース６５ａよりもガス供給バルブ６９側の部分には、前記冷蔵ボックス７４の扉７６の開閉に応じて動作し、前記扉７６が開かれたときに前記ガス圧シリンダ５４へのガス供給を遮断する自動開閉バルブ６８が設けられている。
【００６３】
前記自動開閉バルブ６８は、ばね力により突出されるバルブ開閉ピン６８ａを備えており、前記扉７６が開かれたときに、前記ピン６８ａの突出によりバルブ閉状態になり、前記扉７６が閉じられたときに、前記バルブ開閉ピン６８ａを前記扉７６により押し込まれてバルブ開状態になる。
【００６４】
この自動開閉バルブ６８は、前記バルブ開閉ピン６８ａを前方に向けて前記機器室８２の内側面に固定されており、また、前記扉７６の内面には、扉７６が閉じられたときに前記自動開閉バルブ６８のバルブ開閉ピン６８ａに当接して前記バルブ開閉ピン６８ａを押し込む突出部８４が設けられている。
【００６５】
なお、前記機器室８２の前面の開放部には、着脱可能なカバーパネル８５（図１参照）が設けられており、前記自動開閉バルブ６８のバルブ開閉ピン６８ａは、前記カバーパネル８５に穿設されたピン突出孔８６からカバーパネル８５の前面に突出している。
【００６６】
また、前記冷蔵ボックス７４の上面には、水抜き孔を有する泡受けプレート８６を着脱可能に備えた泡受け用のドレンパン８５が設けられており、このドレンパン８５は、内部に溜まったビールを捨てることができるように、前記冷蔵ボックス７４の上面に取外し可能に嵌め込まれている。
【００６７】
一方、前記ビール注出コック７３は、前記冷蔵ボックス７４の上面の後縁部には立設されたコック支持ポスト７２の上端に設けられており、前記ビールホース７１は、前記ポスト７２内に設けられた図示しないビール注出路を介して前記注出コック７３に接続されている。
【００６８】
なお、前記冷蔵ボックス７４のキャスタ７５を含む高さは、７００ｍｍ〜１０００ｍｍであり、前記注出コック７３は、前記冷蔵ボックス７４の上面に対して２００ｍｍ〜３００ｍｍ上方に設けられている。
【００６９】
このビール注出装置によるビール樽１内のビールの注出は、次のような手順で行なわれる。
まず、前記冷蔵ボックス７４の外側において、前記ビール樽１の口栓６に前記アダプタ２０を装着する。
【００７０】
図１０は前記ビール樽１の口栓６にアダプタ２０を装着した状態の断面図であり、前記アダプタ２０は、そのボディ２１の口栓係合部２２を前記口栓６の注出装置接続部９に挿入し、前記ボディ２１をほぼ９０度回転させて、前記口栓係合部２２一対のバヨネット係合凸部２３を前記注出装置接続部９の一対の凸部１０にそれぞれ係合させることにより前記口栓６に装着される。
【００７１】
なお、このようにビール樽１の口栓６にアダプタ２０を装着すると、前記アダプタ２０の可動部材２５が自重により下降し、この可動部材２５の下端部が前記口栓６の第１の弁部材１４の内側に入り込むが、前記口栓６の第１の弁部材１４と第２の弁部材１７はコイルばね１６，１９のばね力により上方に押圧されているため、前記口栓６にアダプタ２０を装着しても、前記口栓６のガス注入路１１およびビール注出路１２は閉鎖状態にある。
【００７２】
次に、口栓６に前記アダプタ２０を装着したビール樽１を、前記冷蔵ボックス７４内の上段の樽置き台７７上に載せ、このビール樽１を前記樽置き台７７の樽位置決め用ガイド７９により樽下部が受止められるまでボックス７４内に押込むことにより、このビール樽１を前記樽置き台７７上に、前記アダプタ２０が前記冷蔵ボックス７４内の上部に設けられた注出ヘッド４０の下に位置するように位置決めして置く。図１１はその状態を示しており、このときも、ビール樽１の口栓６のガス注入路１１およびビール注出路１２は閉鎖状態にある。
【００７３】
次に、前記冷蔵ボックス７４の扉７６を閉じ、その後に、ガス供給バルブ６９のバルブ開閉摘み６９ａの開操作によりガスボンベ７０の口栓を開き、このガス供給バルブ６９に接続された炭酸ガスボンベ７０内の加圧ガスを、前記ガスホース６５および分岐ガスホース６５ａを介して、注出ヘッド４０のガス導入口４５とガス圧シリンダ５４とに供給する。
【００７４】
前記注出ヘッド４０のガス導入口４５と前記ガス圧シリンダ５４とに加圧ガスを供給すると、まず、前記シリンダ５４のピストンロッド５７がガス圧により押し出されて前記ピストンロッド５７の先端に固定された昇降部材５８が下降し、前記注出ヘッド４０のロッド部材４１が、このロッド部材４１の上端に接続された逆止弁５１と前記昇降部材５８とを連結している連結ロッド５９を介して下方に押し下げられる。
【００７５】
このロッド部材４１が下方に押し下げられると、それにともなって、前記注出ヘッド４０の外筒部材４２が、押し下げばね４４のばね力により下降され、この外筒部材４２の下端のアダプタ当接面４３が、前記アダプタ２０の上面の注出ヘッド当接面２４に押し付けられて、この注出ヘッド当接面２４に気密状態に当接し、前記注出ヘッド４０のガス供給路４７と前記アダプタ２０のガス流路２９とが連通される。
【００７６】
一方、前記注出ヘッド４０のロッド部材４１は、前記外筒部材４２が前記アダプタ２０の注出ヘッド当接面２４に当接した後もさらに押し下げられて前記アダプタ２０のボディ２１内に入り込み、その下端において前記アダプタ２０の可動部材２５の上端に気密状態に当接して、前記注出ヘッド４０のビール送出路４８と前記アダプタ２０のビール流路３０とが連通される。
【００７７】
そして、前記注出ヘッド４０のロッド部材４１は、前記アダプタ２０の可動部材２５の上端に当接した後もさらに押し下げられ、前記可動部材２５を押し下げる。
【００７８】
このように前記アダプタ２０の可動部材２５が押し下げられると、まず前記可動部材２５の第１の弁部材当接部２７が、前記ビール樽１の口栓６の第１の弁部材１４の内周に設けられた段部に気密状態に当接し、前記第１の弁部材１４を押し下げて前記口栓６のガス注入路１１を開放させるとともに、それとほとんど同時に、前記可動部材２５の第２の弁部材当接部２８が、前記ビール樽１の口栓６の第２の弁部材１７の上面に気密状態に当接し、前記第２の弁部材１７を押し下げて前記口栓６のビール注出路１２を開放させる。
【００７９】
また、前記注出ヘッド４０のロッド部材４１が前記口栓６のビール注出路１２を開放させる位置まで押し下げられると、このロッド部材４１の上端部の外周に嵌合固定された外筒押圧部材４１ａが前記注出ヘッド４０の外筒部材４２の上端に当接してこの外筒部材４２を下方に押圧し、押し下げばね４４のばね力によりアダプタ２０に押し付けられている外筒部材４２を、強制的に前記アダプタ２０に押し付け固定する。
【００８０】
図１２はその状態を示しており、前記ビール樽１の口栓６のガス注入路１１およびビール注出路１２を開放させると、前記注出ヘッド４０のガス供給路４７が、前記アダプタ２０のガス流路２９を介して前記口栓６のガス注入路１１に連通されるとともに、前記注出ヘッド４０のビール送出路４８が、前記アダプタ２０のビール流路３０を介して前記口栓６のビール注出路１２に連通される。
【００８１】
そのため、前記注出ヘッド４０にそのガス導入口４５から供給された加圧ガスが、図１２に実線矢印で示したように、前記注出ヘッド４０のガス供給路４７と前記アダプタ２０のガス流路２９と前記口栓６のガス注入路１１とを経てビール樽１内に供給され、そのガス圧によりビール樽１内のビールがビール注出用ダウンチューブ８にその下端から流入し、図１２に破線矢印で示したように、前記口栓６のビール注出路１２と前記アダプタ２０のビール流路３０と前記注出ヘッド４０のビール送出路４８とを経て前記注出ヘッド４０のビール送出口４６に送出される。
【００８２】
そして、前記注出ヘッド４０のビール送出口４６に送出されたビールは、逆止弁５１とビールホース接続部材５２とビールホース７１とを介して注出コック７３に送られ、この注出コック７３を開くことによりジョッキやグラスに注出される。
【００８３】
また、前記ビール樽１内のビールを注出し切ったときのビール樽１の交換は、次のような手順で冷蔵ボックス７４内から行なわれる。
まず、前記冷蔵ボックス７４の扉７６を閉じたままの状態で、前記ガス供給バルブ６９のバルブ開閉摘み６９ａを閉操作し、前記ガスボンベ７０の口栓を閉じるとともに、前記ガスホース６５内の加圧ガスを外部に放出させる。
【００８４】
このように、前記ガスホース６５内の加圧ガスを外部に放出させると、前記シリンダ５４内の加圧ガスが前記分岐ガスホース６５ａおよびガスホース６５を介して外部に放出され、前記シリンダ５４のピストンロッド５７が復帰ばね５６のばね力により後退される。
【００８５】
なお、この実施例では、前記ガスホース６５の分岐ガスホース６５ａと注出ヘッド４０との間の部分に、前記注出ヘッド４０に供給された加圧ガスの逆流を防ぐための逆止弁６７を設けているため、ビールを注出し切った空のビール樽１内の加圧ガスが前記注出ヘッド４０から前記ガスホース６５および分岐ガスホース６５ａを介して前記シリンダ５４に流入することはなく、したがって、前記シリンダ５４内のガス抜きにより、前記シリンダ５４のピストンロッド５７を、前記復帰ばね５６のばね力により確実に後退させることができる。
【００８６】
前記シリンダ５４のピストンロッド５７が後退すると、まず、前記注出ヘッド４０のロッド部材４１が引き上げられ、前記外筒押圧部材４１ａが前記注出ヘッド４０の外筒部材４２から離れて、アダプタ２０に対する前記外筒部材４２の強制的な押し付けが解除されるとともに、前記ロッド部材４１の引き上げにともなって、ビール樽１の口栓６の第２の弁部材１７と第１の弁部材１４が、コイルばね１９，１６のばね力により前記アダプタ２０の可動部材２５を押し上げながら上昇し、前記第２の弁部材１７が前記第１の弁部材１４に当接し、前記第１の弁部材１４がガス注入路用弁座１３に当接して、前記ビール樽１の口栓６のビール注出路１２とガス注入路１１が閉鎖される。
【００８７】
そして、前記シリンダ５４のピストンロッド５７がさらに後退すると、前記注出ヘッド４０のロッド部材４１が前記アダプタ２０の上方に引き上げられるとともに、前記ロッド部材４１の上昇限を規制するストッパ４９を介して前記注出ヘッド４０の外筒部材４２が押し下げばね４４を圧縮させながら引き上げられ、前記注出ヘッド４０が前記アダプタ２０から離脱される。
【００８８】
このようにして前記注出ヘッド４０を前記アダプタ２０から離脱させた後は、前記冷蔵ボックス７４の扉７６を開いて空のビール樽１を取り出し、そのビール樽１の口栓６から前記アダプタ２０を取り外して、そのアダプタ２０を次のビール樽１の口栓６に装着し、そのビール樽１を前記冷蔵ボックス７４内に収容すればよい。
【００８９】
なお、前記冷蔵ボックス７４内のビール樽１が空になる前にビール注出を休止する場合、前記ビール樽１内のビールを注出コック７３に送出させている状態のままにしておいてもよいが、ある程度長い時間ビール注出を休止するときは、前記ビール樽１の口栓６のガス注入路１１とビール注出路１２とを閉鎖し、前記注出コック７３へのビール送出を停止させておくのが好ましい。
【００９０】
その場合は、上記ビール樽１の交換時と同様に、前記冷蔵ボックス７４の扉７６を閉じたまま前記ガス供給バルブ６９のバルブ開閉摘み６９ａを閉操作して前記シリンダ５４内の加圧ガスを放出させることにより、前記シリンダ５４のピストンロッド５７を後退させて前記ビール樽１の口栓６のビール注出路１２とガス注入路１１を閉鎖させればよく、このようにすることにより、前記ビール樽１内のガス圧を維持したままビール注出を休止することができる。
【００９１】
上述したように、このビール注出装置は、ビール樽１の口栓６に、前記アダプタ２０を、そのボディ２１の下端部の口栓係合部２２を前記口栓６の注出装置接続部９に係合させて装着し、このアダプタ２０に、ガスホース６５とビールホース７１が接続された前記注出ヘッド４０を押し付けることにより、前記注出ヘッド４０を前記アダプタ２０を介して前記ビール樽１の口栓６に接続するようにしたものであり、前記ビール樽１の口栓６に前記アダプタ２０を装着し、このアダプタ２０に前記注出ヘッド４０を押し付けると、前記注出ヘッド２０のガス供給路４７が、前記アダプタ２０のガス流路２９を介して前記ビール樽１の口栓６のガス注入路１１に連通されるとともに、前記注出ヘッド４０のビール送出路４８が、前記アダプタ２０のビール流路３０を介して前記口栓６のビール注出路１２に連通される。
【００９２】
そして、この状態で前記注出ヘッド４０のロッド部材４１を下降させると、このロッド部材４１により前記アダプタ２０の可動部材２５が押し下げられ、さらに前記可動部材２５により前記ビール樽１の口栓６の第１および第２の弁部材１４，１７が押し込まれて前記口栓６のガス注入路１１とビール注出路１２が開放されるため、前記ガス供給バルブ６９からガスホース６５を介して供給される加圧ガスを前記注出ヘッド４０とアダプタ２０とを介してビール樽１内にその口栓６から供給し、そのガス圧により、前記ビール樽１内のビールを、前記口栓６から前記アダプタ２０と注出ヘッド４０とビールホース７１とを介してビール注出コック７３に送出することができる。
【００９３】
このように、上記ビール注出装置は、ビール樽１の口栓６に前記アダプタ２０を装着し、このアダプタ２０にガスホース６５とビールホース７１が接続された前記注出ヘッド４０を押し付けて前記ビール樽１内のビールの注出を行なうものである。
【００９４】
この注出装置によれば、ビール樽１の口栓６に装着される前記アダプタ２０が、ガスホース６５とビールホース７１が接続された前記注出ヘッド４０とは別の部材であるため、前記ビール樽１の口栓６への前記アダプタ２０の装着および取外しを簡単に行なうことができ、また、口栓６に前記アダプタ２０を装着したビール樽１を、前記アダプタ２０を前記注出ヘッド４０の下に位置させて置き、その状態でガス圧シリンダ５４により前記注出ヘッド４０を下降させるだけで、前記注出ヘッド４０を前記アダプタ２０に押し付けることができるとともに、前記ガス供給バルブ６９を閉じ、ガス圧シリンダ５４のピストンロッド５７をばね力により後退させて前記注出ヘッド４０を上昇させるだけで、前記注出ヘッド４０を前記アダプタ２０から離すことができ、したがって、ビール樽１の交換を作業性良く行なうことができる。
【００９５】
しかも、この実施例の注出装置は、前記注出ヘッド４０と前記注出ヘッド４０を昇降させるためのガス圧シリンダ５４を、前面に扉７６を有する冷蔵ボックス７４内の上部に設け、前記ボックス７４内に、口栓６に前記アダプタ２０を装着されたビール樽１を、前記アダプタ２０を前記注出ヘッド４０の下に位置させて支持する樽置き台７７を設けるとともに、前記ボックス７４内にガス供給バルブ６９を設け、前記ボックス７４上にビール注出コック７３を設けたものであるため、外観を良くすることができるとともに、前記冷蔵ボックス７４の底部にキャスター７５を備えさせているため、注出装置を自由に移動することができる。
【００９６】
さらに、この実施例の注出装置は、前記注出ヘッド４０を昇降させる注出ヘッド昇降手段５３として、ガス圧によりピストンロッド５７を一方向に移動させ、ばね力により前記ピストンロッド５７を復帰移動させるガス圧シリンダ５４を備え、前記シリンダ５４に、前記注出ヘッド４０のガス導入口４５とガス供給バルブ６９とを接続するガスホース６５から分岐された分岐ガスホース６５ａを接続したものであるため、前記注出ヘッド４０を、この注出ヘッド４０に供給するビール注出用の加圧ガスと同じガスを利用して昇降させることができる。
【００９７】
この注出装置では、前記注出ヘッド４０をビール樽１の口栓６に装着されたアダプタ２０に押し付けるときに、前記注出ヘッド４０は、ガス圧シリンダ５４に供給されるガス圧により瞬間的に下降する。
【００９８】
しかし、この実施例では、前記ガスホース６５の途中に、冷蔵ボックス７４の扉７６の開閉に応じて動作し、前記扉７６が開かれたときに前記シリンダ５４へのガス供給を遮断する自動開閉バルブ６８を設けているため、口栓６にアダプタ２０を装着されたビール樽１を冷蔵ボックス７４内にセットする作業中に誤って第三者によりガス供給バルブ６９が開かれても、そのときは前記注出ヘッド４０は下降せず、したがって、前記冷蔵ボックス７４内へのビール樽１のセット作業を、前記アダプタ２０と注出ヘッド４０との間に手を挟み込まれたりすること無く安全に行なうことができる。
【００９９】
なお、上記実施例では、前記自動開閉バルブ６８を前記冷蔵ボックス７４の機器室８２の内側面に固定し、その開閉ピン６８ａを前記機器室８２のカバーパネル８５に穿設されたピン突出孔８６から前記カバーパネル８５の前面に突出させているが、前記自動開閉バルブ６８は、前記カバーパネル８５の前面に設けてもよい。
【０１００】
また、上記実施例では、前記自動開閉バルブ６８を、ガスホース６５の分岐ガスホース６５ａよりもガス供給バルブ６９側の部分に設けているが、前記自動開閉バルブ６８は、分岐ガスホース６５ａに設けてもよい。
【０１０１】
図１３〜図１５はこの発明の第２の実施例を示しており、図１３はビール注出装置の外観図、図１４は前記ビール注出装置の冷蔵ボックス内に設けられた注出ヘッドおよび注出ヘッド昇降手段の斜視図、図１５は前記注出ヘッドおよび注出ヘッド昇降手段の断面図である。
【０１０２】
なお、この実施例のビール注出装置は、上記第１の実施例のビール注出装置に対して、注出ヘッド昇降手段８７が異なり、また、上記第１の実施例の注出装置における分岐ガスホース６５ａおよび自動開閉バルブ６８や、前記自動開閉バルブ６８のバルブ開閉ピン６８ａを押し込む突出部８４は備えていないが、他の構成は第１の実施例と同じであるから、重複する説明は図に同符号を付して省略する。
【０１０３】
この実施例のビール注出装置は、前記注出ヘッド４０を昇降させる注出ヘッド昇降手段８７を、回転軸８９に固定されて偏心回転するカム部材９１と、前記カム部材９１により一方向に移動され、復帰ばね９５のばね力により復帰移動されるカム受け９２とにより構成したものである。
【０１０４】
前記回転軸８９は、注出ヘッドガード枠６０の上部プレート６１上に設けられた一対の支持壁８８に図示しない軸受を介して水平に支持されており、この回転軸８９の一端部が冷蔵ボックス７４の外側に突出され、その端部に、前記回転軸８９を回転させるためのハンドル９０が設けられている。
【０１０５】
また、前記カム部材９１は、円形板からなっており、その中心から偏心した位置において前記回転軸８９に嵌合固定されている。なお、このカム部材９１の外周面のうち、前記回転軸８９からの距離が最も大きい部分には、前記カム受け９２により受止められるストッパ９１ａが突設されている。
【０１０６】
一方、前記カム受け９２は、前記注出ヘッドガード枠６０の上部プレート６１の中心部に垂直に設けられたガイド筒９３内にスライド可能に挿通された昇降ロッド９４の上端に固定されており、前記上部プレート６１とカム受け９２との間に圧縮状態で配置されたカム受け復帰ばね（コイルばね）９５のばね力により、前記カム部材９１の周面に下方から押圧されている。
【０１０７】
そして、前記昇降ロッド９４の下端は、前記上部プレート６１の下に突出されており、この昇降ロッドの下端に、前記注出ヘッド４０のロッド部材４１の上端の逆止弁５１と連結ロッド５９を介して連結された昇降部材５８が固定されている。
【０１０８】
この実施例の注出装置は、前記ハンドル９０の回転操作により前記カム部材９１を回転させ、このカム部材９１により前記カム受け９２を、その復帰ばね９５のばね力に抗して下降させることにより前記注出ヘッド４０を下降させるようにしたものであるため、上記第１の実施例のようにガス圧シリンダ５４により前記注出ヘッド４０を下降させる場合に比べて、前記注出ヘッド４０の下降速度は遅いが、口栓６にアダプタ２０を装着されたビール樽１を冷蔵ボックス７４内にセットする作業中に第三者の誤操作により前記ハンドル９０が回転されて注出ヘッド４０を下降され始めた場合でも、その誤操作を察知し、前記アダプタ２０と注出ヘッド４０との間に手を挟み込まれたりする前に、注出ヘッド４０の下降操作を中止させることができるため、前記第１の実施例のように冷蔵ボックス７４の扉７６が開かれたときにガス供給を遮断する自動開閉バルブ６８を備えなくても、前記冷蔵ボックス７４内へのビール樽１のセット作業を安全に行なうことができる。
【０１０９】
ただし、この実施例の注出装置においても、冷蔵ボックス７４の扉７６が開かれたときに前記注出ヘッド４０を下降できないようにロックするための手段を備えるのが好ましく、このようにすることにより、前記冷蔵ボックス７４内へのビール樽１のセット作業をさらに安全に行なうことができる。
【０１１０】
なお、上記第１および第２の実施例の注出装置は、冷蔵ボックス７４内にガス供給バルブ６９を設けているが、前記ガス供給バルブ６９を前記冷蔵ボックス７４の外部に設け、前記ガス供給バルブ６９に交換可能に接続されるガスボンベ７０を前記冷蔵ボックス７４外に配置してもよい。
【０１１１】
また、上記第１および第２の実施例の注出装置は、５リットルビール樽１内のビールを注出するものであるが、この発明は、他の容量のビール樽内のビールを注出する装置にも適用できるものであり、その場合は、前記冷蔵ボックス７４内の注出ヘッド４０の下のビール樽収容スペースの高さを、他の容量のビール樽の高さに応じて設計すればよい。
【０１１２】
ただし、上記実施例と同様に冷蔵ボックス７４の上面に泡受け用のドレンパン８５を設け、その上方にビール注出コック７３を設ける場合、前記冷蔵ボックス７４のキャスタ７５を含む高さは７００ｍｍ〜１０００ｍｍの範囲が望ましく、したがって前記冷蔵ボックス７４内の注出ヘッド４０の下側のビール樽収容スペースの高さには制限があるが、２０リットル以下のビール樽であれば、前記冷蔵ボックス７４内の上段の樽置き台７７の位置を下げるとともに、その下の予備のビール樽の収容スペースを省略することにより、前記冷蔵ボックス７４内の注出ヘッド４０の下にビール樽収容スペースを確保することができる。
【０１１３】
なお、前記冷蔵ボックス７４の扉７６は、前面に限らず、前記冷蔵ボックス７４の側面または後面に設けてもよく、その場合は、前記注出ヘッド４０および注出ヘッド昇降手段５３，８７を、注出ヘッドガード枠６０の下部プレート６３に設けられた切欠部６３ａを前記冷蔵ボックス７４の扉７６により開閉される面に向けて配置すればよい。
【０１１４】
そして、前記冷蔵ボックス７４の扉７６を側面または後面に設ける場合は、前記泡受け用のドレンパン８５およびビール注出コック７３を、前記冷蔵ボックス７４の前面または側面に設けてもよい。
【０１１５】
その場合は、前記冷蔵ボックス７４の高さを大きくし、注出ヘッド４０の下側のビール樽収容スペースの高さを大きくとることが可能であるため、例えば２５リットルや３０リットルの大容量のビール樽を前記冷蔵ボックス７４に収容してビール注出を行なうことができる。
【０１１６】
また、上記実施例では、ビール樽収容ボックス７４を冷蔵ボックスとしているが、前記ビール樽収容ボックス７４は、保冷ボックスでも、冷蔵または保冷機能の無いボックスでもよい。
【０１１７】
さらに、前記ビール樽収容ボックス７４は、キャスター７５を備えないものでもよく、また、前記ビール樽収容ボックス７４内の樽置き台７７，７８上の樽支持レール８０は必ずしも必要ではない。
【０１１８】
なお、上記実施例のビール注出装置は、図８および図９に示した構造の口栓６を備えたビール樽１内のビールを注出するものであるが、この発明は、他の構造の口栓を備えたビール樽内のビールを注出するビール注出装置にも適用できるものであり、その場合は、ビール樽の口栓の構造に対応した構造のアダプタを用いればよい。
【０１１９】
図１６は、他のビール樽１００の口栓１０２の断面図であり、このビール樽１００の口栓１０１は、樽本体１０１の上面の中心部に設けられた筒状開口部１０１ａ内に気密状態にねじ込み装着された筒状部材１０３と、この筒状部材１０３からビール樽１００内に垂下されたビール注出用ダウンチューブ１０４とからなっており、前記筒状部材１０２の上端に、注出装置接続部１０５が設けられている。
【０１２０】
前記注出装置接続部１０５は、前記筒状部材１０３の上端に固定された環状プレート１０６からなっており、この環状プレート１０６の外周に、周方向に間隔をおいて複数の凸部１０６ａが突設されている。
【０１２１】
また、前記ダウンチューブ１０４は、その上端部を前記筒状部材１０３内に挿入されて樽底近くに垂下されており、このダウンチューブ１０４は、その上端が筒状部材１０２の上端（環状プレート１０６の上面）とほぼ面一になるように前記筒状部材１０３内に挿入され、ダウンチューブ１０４の上端部の外周に突設された鍔板１０７を介して前記筒状部材１０３の下端部の内面に突設されたダウンチューブ受け１０８上に支持されている。
【０１２２】
そして、前記筒状部材１０３内のダウンチューブ１０４の外側の空間は、前記注出装置接続部１０５からビール樽１００内に連通するガス注入路１０９とされ、前記ダウンチューブ１０４内は、前記注出装置接続部１０５からビール樽１００内に連通するビール注出路１１０とされている。
【０１２３】
なお、前記ガス注入路１０９は、前記筒状部材１０３の周面に設けられた複数のガス流通口１０９ａを介してビール樽１００内に連通している。
また、前記ダウンチューブ１０４の上端は端板１０４ａにより閉塞されており、前記ビール注出路１１０の上端は、前記ダウンチューブ１０４の周面に設けられた複数のビール流通口１０４ａを介して前記注出装置接続部１０５に連通している。
【０１２４】
さらに、前記筒状部材１０３の上端の注出装置接続部１０５を構成する環状プレート１０６の内周縁と、前記ダウンチューブ１０４の上端の外周には、前記筒状部材１０３内に突出する環状弁座１１１ａ，１１１ｂが形成されている。
【０１２５】
一方、前記ダウンチューブ１０４の上端部の外周には、前記環状弁座１１０ａ，１１０ｂの両方にその下方から接離するとともに前記ダウンチューブ１０４の周面に設けられた複数のビール流通口１０４ａを開閉する環状の弁部材１１２が、前記ダウンチューブ１０４に気密状態に嵌装されて上下方向に摺動可能に設けられている。
【０１２６】
この弁部材１１２は、前記ダウンチューブ１０４の外側に設けられ、前記ダウンチューブ１０４に突設された鍔板１０７と前記弁部材１１２との間に圧縮状態で挟持されたコイルばね１１３により上方に押圧されており、前記コイルばね１１３のばね力により図１６のように前記環状弁座１１１ａ，１１１ｂに押し付けられるとともに前記ビール流通口１０４ａを閉じて前記ガス注入路１０９およびビール注出路１１０を閉鎖し、上方からの押し力により下方に押し込まれ、前記環状弁座１１１ａ，１１１ｂから離されるとともに前記ビール流通口１０４ａを開いて前記ガス注入路１０９およびビール注出路１１０を開放する。
【０１２７】
図１７は、上記図１６に示したビール樽１００の口栓１０２に装着されるアダプタの断面図であり、このアダプタ１２０は、上下端が開口し、下端部に前記ビール樽１００の口栓１０２の注出装置接続部１０５に係合する口栓係合部１２２が形成され、上端に平坦面からなる注出ヘッド当接面１２４が形成された中空のボディ１２１と、前記口栓１０２の環状弁部材１１２に当接する円筒状の弁部材当接部１２６を有し、前記ボディ１２１内に上下方向に移動可能に設けられた可動部材１２５とからなっており、内部に、前記ボディ１２１の内面と前記可動部材１２５の外面との間に形成され、一端が前記ボディ１２１内の上端部に連通し、他端が前記口栓１０２への前記ボディ１２１の係合により前記口栓１０２のガス注入路１０９に連通されるガス流路１２７と、前記可動部材１２５内に設けられ、一端が前記可動部材１２５の上端に開口し、他端が前記口栓１０２への前記ボディ１２１の係合により前記口栓１０２のビール注出路１１０に連通されるビール流路１２８とを有している。
【０１２８】
前記ボディ１２１の下端部の口栓係合部１２２は、前記口栓１０２の環状プレート１０６の外側に回転可能に嵌合する形状に形成されており、その内周面に、前記環状プレート１０６の周面の複数の凸部１０６ａの間を通して前記凸部１０６ａよりも下側に突出され、その後に前記ボディ１２１を周方向に所定角度回転させることにより前記複数の凸部１０６ａの下側に移動されて前記口栓１０２からのアダプタ１２０の抜け外れを阻止する複数の口栓係合凸部１２３が突設されている。
【０１２９】
なお、前記口栓係合凸部１２３の前記ボディ１２１の回転方向に対して後側の端部には、前記環状プレート１０６の凸部１０６ａの側面に当接し、前記ボディ１２１の回し過ぎを阻止するためのストッパ１２３ａが突設されている。
【０１３０】
また、前記ボディ１２１内には、前記口栓係合部１２２の上端に対応させて、前記口栓１０２の環状プレート１０６の上面に当接するパッキンリング１２９が設けられている。このパッキンリング１２９は、上面が内周縁に向かって下方に傾斜するテーパー面に形成されたゴム等の弾性材からなっており、その外周を前記ボディ１２１の内周面に嵌合して固定されている。
【０１３１】
一方、前記可動部材１２５の外周には、前記パッキンリング１２９に上方から当接し、このパッキンリング１２９を下方に押し潰すように弾性変形させて前記環状プレート１０６の上面に気密状態に押し付ける鍔部１３０が突設されている。なお、この鍔部１３０には、その周方向に間隔をおいて複数の切欠部１３１が設けられており、前記ガス流路１２８の前記鍔部１３１より上側の部分と下側の部分は、前記切欠部１３１において連通されている。
【０１３２】
また、前記ボディ１２１の上端には、外周に突出するフランジ部１２１ａが形成されており、このフランジ部１２１ａの上面が前記注出ヘッド当接面１２４とされている。
【０１３３】
そして、前記ボディ１２１の前記注出ヘッド当接面１２４には、前記ガス流路１２７を囲んで、図３および図１５に示した注出ヘッド４０のアダプタ当接面４３を気密状態に当接させるためのパッキンリング１３２が設けられており、また、前記可動部材１２５の上端には、前記ビール流路１２８を囲んで、前記注出ヘッド４０のロッド部材４１の下端を気密状態に当接させるためのパッキンリング１３３が設けられている。
【０１３４】
なお、前記ボディ１２１の側部には、ボディ１２１内に突出するストッパビス１３４が設けられており、前記可動部材１２５の前記ボディ１２１に対する上下方向への移動ストロークは、前記ストッパビス１３４により規制されている。
【０１３５】
図１８は、上記図１６に示したビール樽１００からのビール注出状態を示しており、このビール樽１００内のビールの注出は、口栓１０２に図１７に示したアダプタ１２０を装着した前記ビール樽１００を、前記アダプタ１２０が前記注出ヘッド４０の下に位置するように位置決めして置き、図３または図１５に示した注出ヘッド昇降手段５３，８７により前記注出ヘッド４０を前記アダプタ１２０に押し付けて行なわれる。
【０１３６】
なお、前記注出ヘッド４０の前記アダプタ１２０への当接は、前記注出ヘッド昇降手段５３，８７により前記注出ヘッド４０のロッド部材４１を下降させることにより行なわれ、このロッド部材４１を下降させる、前記注出ヘッド４０の外筒部材４２が押し下げばね４４のばね力により下降し、この外筒部材４２の下端のアダプタ当接面４３が、前記アダプタ２０の上面の注出ヘッド当接面２４に気密状態に当接し、前記注出ヘッド４０のガス供給路４７と前記アダプタ１２０のガス流路１２８とが連通される。
【０１３７】
また、前記注出ヘッド４０のロッド部材４１をさらに下降させると、このロッド部材４１の下端が前記アダプタ１２０のボディ１２１内に入り込み、その下端において前記アダプタ１２０の可動部材１２５の上端に気密状態に当接して、前記注出ヘッド４０のビール送出路４８と前記アダプタ１２０のビール流路１２９とが連通される。
【０１３８】
そして、前記注出ヘッド４０のロッド部材４１をさらに下降させると、このロッド部材４１の下降により前記アダプタ１２０の可動部材１２５が押し下げられ、前記アダプタ１２０のボディ１２１内のパッキンリング１３０が、前記可動部材１２５の鍔部１３１により下方に押し潰されるように弾性変形してビール樽１００の口栓１０２の環状プレート１０６の上面に気密状態に押し付けられる。
【０１３９】
また、前記注出ヘッド４０のロッド部材４１の下降により、前記アダプタ１２０の可動部材１２５を押し下げると、この可動部材１２５の下端の弁部材当接部１２６によりビール樽１００の口栓１０２の弁部材１１２が押し込まれて前記口栓１０２のガス供給路１０９とビール送出路１１０が開放され、前記注出ヘッド４０のガス供給路４７が、前記アダプタ１２０のガス流路１２７を介して前記口栓１０２のガス注入路１０９に連通されるとともに、前記注出ヘッド４０のビール送出路４８が、前記アダプタ１２０のビール流路１２８を介して前記口栓１０２のビール注出路１１０に連通される。
【０１４０】
そのため、前記注出ヘッド４０にそのガス導入口４５から供給された加圧ガスが、図１８に実線矢印で示したように、前記注出ヘッド４０のガス供給路４７と前記アダプタ１２０のガス流路１２７と前記口栓１０２のガス注入路１０９とを経てビール樽１００内に供給され、そのガス圧によりビール樽１００内のビールがビール注出用ダウンチューブ１０４にその下端から流入し、図１８に破線矢印で示したように、前記口栓１０２のビール注出路１１０と前記アダプタ１２０のビール流路１２８と前記注出ヘッド４０のビール送出路４８とを経て前記注出ヘッド４０のビール送出口４６（図３および図１５参照）に送出される。
【０１４１】
このように、上記ビール注出装置は、ビール樽の口栓の規格が異なる場合でも、そのビール樽の口栓の構造に対応した構造のアダプタを用いることにより、注出ヘッド４０には何等変更を加えること無く前記ビール樽内のビールを注出することができる。
【０１４２】
なお、上記実施例の注出装置は、ビール樽内のビールを注出するものであるが、この発明は、焼酎やジュース等のビール以外の樽詰め飲料の注出装置にも適用することができ、また、前記飲料樽内に供給する加圧ガスは、炭酸ガスに限らず、例えば窒素ガス等でもよい。
【０１４３】
【発明の効果】
この発明の飲料注出装置によれば、飲料樽の口栓に装着されるアダプタが、ガスホースと飲料ホースが接続された注出ヘッドとは別の部材であるため、前記飲料樽の口栓への前記アダプタの装着および取外しを簡単に行なうことができ、また、口栓に前記アダプタを装着した飲料樽を、前記アダプタを前記注出ヘッドの下に位置させて置き、その状態で注出ヘッド昇降手段により前記注出ヘッドを下降させるだけで、前記注出ヘッドを前記アダプタに押し付けることができるとともに、前記注出ヘッド昇降手段により前記注出ヘッドを上昇させるだけで、前記注出ヘッドを前記アダプタから離すことができ、したがって、飲料樽の交換を作業性良く行なうことができる。
【０１４４】
この発明の飲料注出装置は、前記注出ヘッドと注出ヘッド昇降手段を、周面のいずれか１つの面に扉を有する飲料樽収容ボックス内の上部に設け、前記ボックス内に、口栓に前記アダプタを装着された飲料樽を、前記アダプタを前記注出ヘッドの下に位置させて支持する樽置き台を設けるとともに、前記ボックス内もしくはボックス外にガス供給バルブを設け、前記ボックスの外部に飲料注出コックを設けた構成のものが好ましく、このような構成とすることにより、注出装置の外観を良くすることができる。
【０１４５】
さらに、前記ビール樽収容ボックスは、その底部にキャスターを備えたものが好ましく、このようにすることにより、注出装置を自由に移動することができる。
【０１４６】
また、前記注出ヘッド昇降手段は、例えば、ガス圧によりピストンロッドを一方向に移動させ、ばね力により前記ピストンロッドを復帰移動させるガス圧シリンダが好ましく、このようにすることにより、前記注出ヘッドを、この注出ヘッドに供給するビール注出用の加圧ガスと同じガスを利用して昇降させることができる。
【０１４７】
その場合は、前記シリンダに、前記注出ヘッドのガス導入口とガス供給バルブとを接続するガスホースから分岐されたガスホースを接続するとともに、前記ガスホースの途中に、飲料樽収容ボックスの扉の開閉に応じて動作し、前記扉が開かれたときに前記シリンダへのガス供給を遮断する自動開閉バルブを設けるのが望ましく、このようにすることにより、前記ビール樽収容ボックス内への飲料樽のセット作業を安全に行なうことができる。
【０１４８】
さらに、前記注出ヘッド昇降手段は、回転軸に固定されて偏心回転するカム部材と、前記カム部材により一方向に移動され、ばね力により復帰移動されるカム受けにより構成し、前記回転軸の端部を樽収容ボックスの外側に突出させて、その端部に前記回転軸を回転させるためのハンドルを設けてもよく、このようにすることにより、ビール樽収容ボックスの扉が開かれたときにガス供給を遮断する自動開閉バルブを備えなくても、前記ビール樽収容ボックス内への飲料樽のセット作業を安全に行なうことができる。
【図面の簡単な説明】
【図１】この発明の第１の実施例を示すビール注出装置の外観図。
【図２】前記ビール注出装置のビール樽収容ボックス内に設けられた注出ヘッドおよび注出ヘッド昇降手段の斜視図。
【図３】前記注出ヘッドおよび注出ヘッド昇降手段の断面図。
【図４】ビール樽の口栓に装着されるアダプタの側面図。
【図５】前記アダプタの底面図。
【図６】前記アダプタの断面図。
【図７】ビール樽の外観図。
【図８】前記ビール樽の口栓の平面図。
【図９】前記ビール樽の口栓の断面図。
【図１０】前記ビール樽の口栓にアダプタを装着した状態の断面図。
【図１１】前記ビール注出装置のビール樽セット状態の断面図。
【図１２】前記ビール注出装置のビール注出状態の断面図。
【図１３】この発明の第２の実施例を示すビール注出装置の外観図。
【図１４】第２の実施例のビール注出装置のビール樽収容ボックス内に設けられた注出ヘッドおよび注出ヘッド昇降手段の斜視図。
【図１５】前記注出ヘッドおよび注出ヘッド昇降手段の断面図。
【図１６】他のビール樽の口栓の断面図。
【図１７】図１６に示したビール樽の口栓に装着されるアダプタの断面図。
【図１８】前記ビール注出装置の図１６に示したビール樽からのビール注出状態の断面図。
【符号の説明】
１，１００…ビール樽
６，１０２…口栓
１１，１０９…ガス注入路
１２，１１０…ビール注出路
１４，１７，１１２…弁部材
２０，１２０…アダプタ
２１，１２１…ボディ
２２，１２２…口栓係合部
２４，１２４…注出ヘッド当接面
２５，１２５…可動部材
２７，２８，１２６…弁部材当接部
２９，１２７…ガス流路
３０，１２８…ビール流路
４０…注出ヘッド
４１…ロッド部材
４２…外筒部材
４３…アダプタ当接面
４４…押し下げばね
４５…ガス導入口
４６…ビール送出口
４７…ガス供給路
４８…ビール送出路
５３…注出ヘッド昇降手段
５４…ガス圧シリンダ
５６…復帰ばね
５７…ピストンロッド
６５…ガスホース
６５ａ…分岐ガスホース
６７…逆止弁
６８…自動開閉バルブ
６９…ガス供給バルブ
７０…ガスボンベ
７１…ビールホース
７３…注出コック
７４…ビール樽収容ボックス
７５…キャスター
７６…扉
７７…樽置き台
８７…注出ヘッド昇降手段
８９…回転軸
９０…ハンドル
９１…カム部材
９２…カム受け
９５…カム受け復帰ばね
【図１】
0004472888.tif 000002
【図２】
0004472888.tif 000003
【図３】
0004472888.tif 000004
【図４】
0004472888.tif 000005
【図５】
0004472888.tif 000006
【図６】
0004472888.tif 000007
【図７】
0004472888.tif 000008
【図８】
0004472888.tif 000009
【図９】
0004472888.tif 000010
【図１０】
0004472888.tif 000011
【図１１】
0004472888.tif 000012
【図１２】
0004472888.tif 000013
【図１３】
0004472888.tif 000014
【図１４】
0004472888.tif 000015
【図１５】
0004472888.tif 000016
【図１６】
0004472888.tif 000017
【図１７】
0004472888.tif 000018
【図１８】
0004472888.tif 000019